(57)【特許請求の範囲】
【請求項１】
自車の進行方向に有る対象物との距離を含むセンサ出力に基づき運転操作がなくとも自動的に制動制御を行う制御手段を備えた自動制動制御装置において、
自車には、自車速に応じて自動的に変速機のギヤ段数を設定する変速制御手段が設けられ、
前記制御手段は、前記センサ出力により得られた前記対象物と自車との相対距離および相対速度とに基づき前記対象物と自車とが衝突するまでに要する予測時間を演算し、その予測時間が設定時間を下回ったときに自動的に段階的な制動制御を行う段階的制動制御手段を備え、
この段階的制動制御手段は、第一制動段階、第二制動段階、第三制動段階と時系列的に３段階に制動力または制動減速度を大きくする制動制御手段であり、
第一制動段階、第二制動段階、第三制動段階の制動は、一定の大きさの制動力または制動減速度が時間的に継続して与えられるものであり、
前記予測時間が制動操作によって衝突を回避可能な限界の時間以前のあらかじめ設定された所定時間を下回ると第一制動段階の制動を制動操作によって衝突を回避可能な限界の時間まで継続して与え、
前記予測時間が前記制動操作によって衝突を回避可能な限界の時間を下回るとハンドル操作によって衝突を回避できる限界の時間までは第二制動段階の制動を継続して与え、
前記予測時間がハンドル操作によって衝突を回避できる限界の時間を下回ると第三制動段階の制動を継続して与え、
前記段階的制動制御手段による段階的な制動制御が行われているときには、前記変速制御手段によるギヤ段数の変更を禁止する手段を備えた
ことを特徴とする自動制動制御装置。
【請求項２】
自車の進行方向に有る対象物との距離を含むセンサ出力に基づき運転操作がなくとも自動的に制動制御を行う制御手段を備えた自動制動制御装置において、
自車には、自車速に応じて自動的に変速機のギヤ段数を設定する変速制御手段が設けられ、
前記制御手段は、前記センサ出力により得られた前記対象物と自車との相対距離および相対速度とに基づき前記対象物と自車とが衝突するまでに要する予測時間を演算し、その予測時間が設定時間を下回ったときに自動的に段階的な制動制御を行う段階的制動制御手段を備え、
この段階的制動制御手段は、第一制動段階、第二制動段階、第三制動段階と時系列的に３段階に制動力または制動減速度を大きくする制動制御手段であり、
第一制動段階、第二制動段階、第三制動段階の制動は、一定の大きさの制動力または制動減速度が時間的に継続して与えられるものであり、
前記予測時間が制動操作によって衝突を回避可能な限界の時間以前のあらかじめ設定された所定時間を下回ると第一制動段階の制動を制動操作によって衝突を回避可能な限界の時間まで継続して与え、
前記予測時間が前記制動操作によって衝突を回避可能な限界の時間を下回るとハンドル操作によって衝突を回避できる限界の時間までは第二制動段階の制動を継続して与え、
前記予測時間がハンドル操作によって衝突を回避できる限界の時間を下回ると第三制動段階の制動を継続して与え、
前記変速制御手段に対し、前記段階的制動制御手段による段階的な制動制御に応じてギヤ段数を１段ずつ減じるように指示する手段を備えた
ことを特徴とする自動制動制御装置。
【請求項３】
自車の進行方向に有る対象物との距離を含むセンサ出力に基づき運転操作がなくとも自動的に制動制御を行う制御手段を備えた自動制動制御装置において、
自車には、自車速に応じて自動的に変速機のギヤ段数を設定する変速制御手段が設けられ、
前記制御手段は、前記センサ出力により得られた前記対象物と自車との相対距離および相対速度とに基づき前記対象物と自車とが衝突するまでに要する予測時間を演算し、その予測時間が設定時間を下回ったときに自動的に段階的な制動制御を行う段階的制動制御手段を備え、
この段階的制動制御手段は、第一制動段階、第二制動段階、第三制動段階と時系列的に３段階に制動力または制動減速度を大きくする制動制御手段であり、
第一制動段階、第二制動段階、第三制動段階の制動は、一定の大きさの制動力または制動減速度が時間的に継続して与えられるものであり、
前記予測時間が制動操作によって衝突を回避可能な限界の時間以前のあらかじめ設定された所定時間を下回ると第一制動段階の制動を制動操作によって衝突を回避可能な限界の時間まで継続して与え、
前記予測時間が前記制動操作によって衝突を回避可能な限界の時間を下回るとハンドル操作によって衝突を回避できる限界の時間までは第二制動段階の制動を継続して与え、
前記予測時間がハンドル操作によって衝突を回避できる限界の時間を下回ると第三制動段階の制動を継続して与え、
前記変速制御手段に対し、前記段階的制動制御手段による段階的な制動制御に応じて予め指定されたギヤ段数とするように指示する手段を備えた
ことを特徴とする自動制動制御装置。
【請求項４】
自車速が所定値未満、または、操舵角あるいはヨーレイトのとる値が所定範囲外であるときには、前記段階的制動制御手段の起動を禁止する手段を備えた請求項１ないし３のいずれかに記載の自動制動制御装置。
【発明の詳細な説明】
【技術分野】
【０００１】
本発明は、貨物や乗客を輸送するための大型車両（トラック、バス）に利用する。
【背景技術】
【０００２】
自動車の電子制御化は、日進月歩で進歩し、これまでは運転者の判断のみに頼っていた事象についても車載したコンピュータによって行われるようになった。
【０００３】
その一つの例として、先行車と自車との間の距離（車間距離）をレーダによって監視し、車間距離が異常に接近した場合には、自動的に適切な制動制御を行い、万が一の衝突時に、その被害を小さく抑えるという自動制動制御装置がある（例えば、特許文献１参照）。
【０００４】
【特許文献１】特開２００５−３１９６７号公報
【発明の開示】
【発明が解決しようとする課題】
【０００５】
上述した自動制動制御装置は、乗用車においては既に実用化されつつあるが、同様の機能を、貨物や乗客を輸送するための大型車両（トラック、バス）に利用しようとしたときに、解決しなければならない問題がある。
【０００６】
すなわち、大型車両は乗用車と比較して質量がきわめて大きく、また、運転者自身の安全の他に、乗客や貨物の安全を確保しなければならず、乗用車の自動制動制御で行われているような単純な急制動制御だけでは所期の目的を達成することは困難であり、乗用車の場合と比較してより高度な自動制動制御を行う必要がある。しかし、そのような手段が確立されていないため、トラックやバスにおける自動制動制御装置は未だ実用化されていない。
【０００７】
本発明は、このような背景の下に行われたものであって、トラックやバスにおける自動制動制御を実現することができる自動制動制御装置を提供することを目的とする。
【課題を解決するための手段】
【０００８】
本発明の自動制動制御装置は、段階的な制動制御を行うことにより、トラックやバスなどの大型車両においても車両の安定性を保ちつつ、衝突の際の衝撃を和らげることができる装置である。
【０００９】
すなわち、本発明は、自車の進行方向に有る対象物との距離を含むセンサ出力に基づき運転操作がなくとも自動的に制動制御を行う制御手段を備えた自動制動制御装置である。
【００１０】
ここで、本発明の特徴とするところは、自車には、自車速に応じて自動的に変速機のギヤ段数を設定する変速制御手段が設けられ、前記制御手段は、前記センサ出力により得られた前記対象物と自車との相対距離および相対速度とに基づき導出される前記対象物と自車とが所定距離以下となるまでに要する時間の予測値が設定値を下回ったときに自動的に段階的な制動制御を行う段階的制動制御手段を備え、この段階的制動制御手段は、時系列的に複数段階にわたり制動力または制動減速度を徐々に増大させる制動制御手段を含み、前記段階的制動制御手段による段階的な制動制御が行われているときには、前記変速制御手段によるギヤ段数の変更を禁止する手段を備えたところにある。
前記対象物と自車との相対距離および相対速度とに基づき導出される前記対象物と自車とが所定距離以下となるまでに要する時間の予測値とは、例えば、対象物と自車とが衝突するまでに要する時間の予測値（以下では、ＴＴＣ(Time To Collision)と呼ぶ）である。
【００１１】
前記変速制御手段は、自車速に応じて自動的に変速機のギヤ段数を設定する制御を行うが、このときに、クラッチの接断制御とギヤチェンジ制御とを自動的に行う。
【００１２】
従来は、自動制動制御装置と変速制御手段とは連動しておらず、自動制動制御が開始されると、自車速が減じられるため、変速制御手段は、クラッチの接断制御およびギヤチェンジ制御を自律的に開始する。このときに、自動制動制御タイミングとクラッチ断タイミングとが重なると、エンジンブレーキ（あるいはエンジンリターダ）が効かなくなる。このような状況下では、自動制動制御装置の制動パターンに乱れが生じるため、自動制動制御装置の所期の機能を充分に発揮できない可能性が生じる。したがって、自動制動制御が開始されると同時に、変速制御手段によるギヤ段数の変更を禁止することにより、自動制動制御装置の制動パターンに乱れを生じさせる要因を除去することができる。
【００１３】
上記発明は、従来のように、自動制動制御装置と変速制御手段とが連動していない場合に有用な発明であるが、以下の発明は、従来とは異なり、自動制動制御装置と変速制御手段とを積極的に連動させることにより、自動制動制御装置の機能を変速制御手段によって援助させる発明である。
【００１４】
例えば、前記変速制御手段に対し、前記段階的制動制御手段による段階的な制動制御に応じてギヤ段数を１段ずつ減じるように指示する手段を備える。これによれば、制動力または制動減速度が段階的に大きくなるのに合わせて、エンジンブレーキの効きも段階的に大きくすることができるため、自動制動制御を変速制御によって援助することができる。
【００１５】
あるいは、前記変速制御手段に対し、前記段階的制動制御手段による段階的な制動制御に応じて予め指定されたギヤ段数とするように指示する手段を備える。これによれば、前述したように、制動力または制動減速度が段階的に大きくなるのに合わせて、エンジンブレーキの効きも段階的に大きくするという制御パターンに加え、例えば、エンジンブレーキの効きは、段階的制動制御の最初から最大にしておき、以降は、制動制御のみにより自車速を減ずるといった制御パターンや段階的制動制御の最終段階でのみエンジンブレーキの効きを最大にするといったような様々な制御パターンを自在に設定することができる。
【００１６】
また、自車速が所定値未満であり、操舵角あるいはヨーレイトのとる値が所定範囲外であるときには、前記段階的制動制御手段の起動を禁止する手段を備えることができる。
【００１７】
すなわち、本発明の自動制動制御装置が行う段階的制動制御は、例えば、制動制御開始以前の自車速が６０ｋｍ／ｈ以上であり、車線変更中や急カーブ走行中などのような大きなハンドル操作を行っていない状態での使用を想定しているため、それ以外の走行状態では、段階的制動制御の起動を制限することができる。
【００１８】
例えば、制動制御開始以前の自車速が６０ｋｍ／ｈ未満であれば、車両の有する運動エネルギは少ないため、従来から乗用車に適用されているような単純な急制動制御を行っても支障はないので、段階的制動制御の起動を制限する。また、例えば、制動制御開始以前の操舵角が＋３０度以上あるいは−３０度以下であれば、これは車線変更中や急カーブ走行中であるので、段階的制動制御の適用事象外であり起動を制限する。この場合には、操舵角の代わりにヨーレイトを用いてもよい。
【発明の効果】
【００１９】
本発明によれば、トラックやバスにおける自動制動制御を実現することができる。特に、自動制動制御と変速制御手段との競合制御あるいは連動制御を実現することができる。
【発明を実施するための最良の形態】
【００２０】
（第一実施例）
第一実施例の自動制動制御装置を図１ないし図６を参照して説明する。図１は第一実施例の制御系統構成図である。図２は第一実施例の制動制御ＥＣＵ(Electric Control Unit)の制御手順を示すフローチャートである。図３は制動制御ＥＣＵが有する空積時の制動パターンを示す図である。図４は制動制御ＥＣＵが有する半積時の制動パターンを示す図である。図５は制動制御ＥＣＵが有する定積時の制動パターンを示す図である。図６は制動制御ＥＣＵが有する本格制動パターンを示す図である。
【００２１】
図１に示すように、制動制御ＥＣＵ４、ゲートウェイＥＣＵ５、メータＥＣＵ６、エンジンＥＣＵ８、軸重計９、ＥＢＳ(Electric Breaking System)＿ＥＣＵ１０、変速制御ＥＣＵ１４はＶｅｈｉｃｌｅＣＡＮ（Ｊ１９３９）７を介してそれぞれ接続される。
【００２２】
また、ステアリングセンサ２およびヨーレイトセンサ３および車速センサ１３は、ゲートウェイＥＣＵ５を介してＶｅｈｉｃｌｅＣＡＮ（Ｊ１９３９）７にそれぞれ接続され、これらのセンサ情報は、制動制御ＥＣＵ４に取り込まれる。また、ブレーキ制御は、ＥＢＳ＿ＥＣＵ１０がブレーキアクチュエータ１１を駆動することによって行われる。なお、ＥＢＳ＿ＥＣＵ１０に対するブレーキ指示は、運転席（図外）のブレーキ操作および制動制御ＥＣＵ４によって行われる。運転者によるブレーキ操作の情報を含むブレーキ情報もＥＢＳ＿ＥＣＵ１０が出力して制動制御ＥＣＵ４に取り込まれる。エンジンＥＣＵ８は、エンジン１２の燃料噴射量制御その他のエンジン制御を行う。なお、エンジンＥＣＵ８に対する噴射量制御指示は運転席のアクセル操作によって行われる。また、制動制御ＥＣＵ４により出力された警報表示やブザー音がメータＥＣＵ６により運転席の表示部（図示省略）に表示される。ステアリングセンサ２以外の操舵に関連する制御系統は本発明とは直接関係が無いので図示を省略した。
【００２３】
変速制御ＥＣＵ１４は車速情報に基づき変速機１５のギヤ段数およびクラッチ接断を制御する。また、運転席のギヤチェンジレバー操作によりギヤ段数指定指示が変速制御ＥＣＵ１４に与えられた場合には、変速制御ＥＣＵ１４は、この指示に従う。変速制御ＥＣＵ１４から出力されるギヤ段数情報は制動制御ＥＣＵ４に取り込まれる。また、制動制御ＥＣＵ４から出力されるギヤ段数変更禁止指示により変速制御ＥＣＵ１４は変速機１５のギヤ段数の変更を停止する。
【００２４】
本実施例は、図１に示すように、自車の進行方向に有る先行車あるいは落下物などの対象物との距離を測定するミリ波レーダ１、操舵角を検出するためのステアリングセンサ２、ヨーレイトを検出するためのヨーレイトセンサ３、自車速を検出するための車速センサ１３などのセンサ出力に基づき運転操作がなくとも自動的に制動制御を行う制動制御ＥＣＵ４を備えた自動制動制御装置である。
【００２５】
制動制御ＥＣＵ４は、ミリ波レーダ１および車速センサ１３からのセンサ出力により得られた前記対象物と自車との相対距離および相対速度とに基づき導出されるＴＴＣが設定値を下回ったときに自動的に段階的な制動制御を行う段階的制動制御手段を備える。
【００２６】
この段階的制動制御手段は、図３（ｂ）に示すように、時系列的に三段階にわたり制動力を徐々に増大させる制動制御手段を含む。図３（ｂ）の例では、まず、「警報」と記された第一段階で、０．１Ｇ程度の制動をＴＴＣ２．４秒から１．６秒までかける。この段階では、未だ、いわゆる急制動がかかった状態にはなっておらず、ストップランプが点灯することにより後続車に対し、これから急制動が行われることを知らせることができる。次に、「拡大領域制動」と記された第二段階で、０．３Ｇ程度の制動をＴＴＣ１．６秒から０．８秒までかける。最後に、「本格制動」と記された第三段階で、最大の制動（０．５Ｇ程度）をＴＴＣ０．８秒から０秒までかける。
【００２７】
なお、運転者が上記に示した制動力以上の強い制動操作を行った場合には、より強い制動力が優先して働くようにする。
【００２８】
また、本実施例では、図３〜図５に示すように、制動制御ＥＣＵ４は、積載貨物や乗客の重量に応じて制動パターンを変更する制動パターン選択部４０を含む。変更する方法としては、制動制御ＥＣＵ４の制動パターン記憶部４１に、予め「空積時」、「半積時」、「定積時」における制御パターンを複数記憶しておき、重量に応じてこれらの制動パターンから適合（または近似）する制動パターンを選択することにより実現できる。積載貨物や乗客の重量情報は、図１に示す軸重計９によって得られ、制動制御ＥＣＵ４に取り込まれる。
【００２９】
なお、以下の説明では、先行車を対象として説明するが、本実施例の自動制動制御装置は、道路上の落下物などに対しても有効である。
【００３０】
自車には、図１に示すように、自車速に応じて自動的に変速機１５のギヤ段数を設定する変速制御ＥＣＵ１４が設けられている。第一実施例では、制動制御ＥＣＵ４は、前記段階的制動制御手段による段階的な制動制御が行われているときには、変速制御ＥＣＵ１４によるギヤ段数の変更を禁止するためのギヤ段数変更禁止指示を変速制御ＥＣＵ１４に対して送出する。
【００３１】
これにより、図３〜図５に示す制動制御中に、変速制御ＥＣＵ１４がクラッチ断制御あるいはギヤ段数変更制御によって引き起こされる制動パターンの乱れを回避することができる。
【００３２】
また、自車速が６０ｋｍ／ｈ未満であり、操舵角が＋３０度以上あるいは−３０度以下であるときには、前記段階的制動制御手段の起動を禁止する手段を備える。なお、操舵角に代えてヨーレイトを用いることもできる。
【００３３】
すなわち、本実施例の自動制動制御装置が行う段階的制動制御は、制動制御開始以前の自車速が６０ｋｍ／ｈ以上であり、車線変更中や急カーブ走行中などのような大きなハンドル操作を行っていない状態での使用を想定しているため、それ以外の走行状態では、段階的制動制御の起動を制限することができる。
【００３４】
また、制動制御開始以前の自車速が６０ｋｍ／ｈ未満であれば、車両の有する運動エネルギは少ないため、従来から乗用車に適用されているような単純な急制動制御を行っても支障はなく、段階的制動制御を実施する有用性は低いので、段階的制動制御の起動を制限する。さらに、制動制御開始以前の操舵角が＋３０度以上あるいは−３０度以下であれば、これは車線変更中や急カーブ走行中であるので、段階的制動制御の適用事象外であり段階的制動制御の起動を制限する。この場合には、操舵角の代わりにヨーレイトを用いてもよい。
【００３５】
本実施例では、制動制御開始以前の自車速が６０ｋｍ／ｈ未満であり１５ｋｍ／ｈ（自動制動制御（本格制動制御のみ）の有用性が認められる最低速度）以上である場合には、段階的制動制御は行わないが、図６に示すように、図３（ｂ）〜図５（ｂ）に示す本格制動制御のみは実施することとする。このような本格制動制御のみを実施する場合は、乗用車に用いられている従来の自動制動制御と同等の制動制御を適用することができる。なお、このような従来と同等の自動制動制御を適用する場合には車線変更中や急カーブ走行中であるか否かを判断するステップは必要ない。
【００３６】
次に、本実施例の自動制動制御装置の動作を図２のフローチャートを参照しながら説明する。図２は空積時（図３）の制動パターンを例にとって説明を行うが、半積時（図４）または定積時（図５）においても図２のフローチャートの手順に準じる。図２に示すように、先行車との車間距離および先行車の車速をミリ波レーダ１により測定して監視する。また、自車速を車速センサ１３により測定して監視する。さらに、軸重計９により積載貨物や乗客の重量を測定して監視する（Ｓ１）。制動制御ＥＣＵ４の制動パターン選択部４０は、当該重量の測定結果に基づき制動パターン（図３〜図５）のいずれかを予め選択する。以下の説明は、図３の制動パターンが選択された例である。
【００３７】
車間距離、自車速、先行車の車速によりＴＴＣを計算する（Ｓ２）。計算方法は、
車間距離／（自車速−先行車の車速）
である。制動制御開始以前の自車速が６０ｋｍ／ｈ以上であり（Ｓ３）、制動制御開始以前の操舵角が＋３０度以下であり−３０度以上であり（Ｓ４）、ＴＴＣが図３（ａ）に示す（１）の領域にあれば（Ｓ５）、「警報」制動制御を実行すると共にギヤ段数変更禁止指示を変速制御ＥＣＵ１４に対して送出する（Ｓ８）。また、ＴＴＣが図３（ａ）に示す（２）の領域にあれば（Ｓ６）、「拡大領域制動」制御を実行すると共にギヤ段数変更禁止指示を引き続き変速制御ＥＣＵ１４に対して送出する（Ｓ９）。また、ＴＴＣが図３（ａ）に示す（３）の領域にあれば（Ｓ７）、「本格制動」制御を実行すると共にギヤ段数変更禁止指示を引き続き変速制御ＥＣＵ１４に対して送出する（Ｓ１０）。
【００３８】
また、制動制御開始以前の自車速が６０ｋｍ／ｈ未満１５ｋｍ／ｈ以上であり（Ｓ３、Ｓ１１）、ＴＴＣが図３（ｃ）に示す（４）の領域にあれば（Ｓ１２）、運転者に対して先行車との相対距離が近いことを報知する（Ｓ１３）。報知は、警報表示やブザー音により行う。さらに、ＴＴＣが図３（ｃ）に示す（５）の領域にあれば（Ｓ１４）、「本格制動」制御を実行すると共にギヤ段数変更禁止指示を変速制御ＥＣＵ１４に対して送出する（Ｓ１０）。
【００３９】
なお、ステアリングセンサ２からの操舵角の代わりにヨーレイトセンサ３からのヨーレイトを利用することもできる。あるいは、操舵角とヨーレイトを併用してもよい。
【００４０】
ここで、図３〜図５について説明する。図３〜図５における直線ｃ、ｆ、ｉは、操舵回避限界直線と呼ばれるものである。また、図３〜図５における曲線Ｂ、Ｄ、Ｆは、制動回避限界曲線と呼ばれるものである。
【００４１】
すなわち、操舵回避限界直線とは、障害物までの一つの相対距離および障害物との一つの相対速度の関係において、所定のＴＴＣ以内にハンドル操作によって衝突を回避可能な限界を示す直線である。また、制動回避限界曲線とは、障害物までの一つの相対距離および障害物との一つの相対速度の関係において、所定のＴＴＣ以内に制動操作によって衝突を回避可能な限界を示す曲線である。
【００４２】
図３〜図５において、これらの直線または曲線の下側の領域の内、双方が共に関わる領域では、もはやハンドル操作によってもブレーキ操作によっても衝突を回避することはできない。
【００４３】
例えば、図３の空積時の例では、直線ｃは、ＴＴＣが０．８秒に設定されている。本実施例では、操舵回避限界直線ｃの上側に、ＴＴＣが２．４秒である場合の直線ａを設け、ＴＴＣが１．６秒である場合の直線ｂを設ける。また、ＴＴＣが０．８秒に設定された制動回避限界曲線Ｂの上側にＴＴＣが１．６秒に設定された曲線Ａを設ける。
【００４４】
当初の車両の状態は、図３の黒点Ｇに示す障害物との相対距離および相対速度を有している。制動制御開始以前の自車速が６０ｋｍ／ｈ以上であるときに、次第に相対距離が短くなり、直線ａの位置に来たときには、警報モードとなる（領域（１））。警報モードでは、０．１Ｇ程度の制動をＴＴＣ２．４秒〜１．６秒までかける。この期間は、ストップランプを点灯させ、後続車にブレーキをかけることを知らせる意義がある。さらに相対速度が下がり、直線ｂの位置に来たときには、拡大領域制動モードとなる（領域（２））。拡大領域制動モードでは、０．３Ｇ程度の制動をＴＴＣ１．６秒〜０．８秒までかける。直線ｃの位置に来たときには、本格制動モードとなる（領域（３））。本格制動モードでは、最大の制動（０．５Ｇ程度）をＴＴＣ０．８秒〜０秒までかける。図２のステップＳ２の計算によれば、このときに衝突が起こることになる。しかし、実際には、自車速が制動制御によって小さくなるため、ステップＳ２の計算結果よりも実際のＴＴＣは長くなる。
すなわち、本発明が対象とする自動制動制御装置におけるＴＴＣの計算では、精密な距離測定や複雑な演算処理を極力省き、汎用の簡易な距離測定装置（例えば、ミリ波レーダ）や演算装置を用いることを前提としている。このような配慮は、車両の製造コストあるいは維持費を低く抑えるために有用である。
よって、厳密には、対象物である先行車と自車とは、制動（減速）によって等加速度運動を行っているのであるから、ＴＴＣ計算も等加速度運動に基づき計算しなければならないところを、単に等速運動を行っているものとしてＴＴＣを計算することにより、精密な距離測定や複雑な演算処理を省いている。
また、このような等速運動とみなした計算を行うことにより、計算されたＴＴＣの値は実際のＴＴＣの値よりも小さくなるが、これは安全側への誤差であるから容認しても何ら支障はない。
【００４５】
さらに、制動制御開始以前の自車速が１５ｋｍ／ｈ以上であり６０ｋｍ／ｈ未満であるときには、次第に相対距離が短くなり、直線ｂの位置に来たときには、報知モードとなる（領域（４））。報知モードでは、運転者に対して警報表示やブザー音によって、障害物との相対距離が短くなっていることを知らせる。直線ｃの位置に来たときには、本格制動モードとなる（領域（５））。本格制動モードでは、最大の制動（０．５Ｇ程度）をＴＴＣ０．８秒〜０秒までかける。
【００４６】
また、図４は半積時の例であり、図５は定積時の例であるが、等しい制動力同士で比べれば、積載貨物や乗客の重量が増すにつれて制動距離も長くなるため、操舵回避限界直線および制動回避限界曲線も図の上方にそれぞれ移動する。これにより、領域（１）、（２）、（３）
、（４）、（５）の面積は、積載貨物や乗客の重量に応じて大きくなる。
【００４７】
図３における直線ａ〜ｃは、図４における直線ｄ〜ｆ、図５における直線ｇ〜ｉに対応し、図３における曲線Ａ、Ｂは、図４における曲線Ｃ、Ｄ、図５における曲線Ｅ、Ｆに対応し、図３における黒点Ｇは、図４における黒点Ｈ、図５における黒点Ｉに対応する。
【００４８】
（第二実施例）
第二実施例を図７ないし図９を参照して説明する。図７は第二実施例の制御系統構成図である。図８は第二実施例の制動制御ＥＣＵの制御手順を示すフローチャートである。図９は第二実施例の制動制御と変速制御との関係を示すタイムチャートである。
【００４９】
第二実施例では、図７に示すように、制動制御ＥＣＵ４から変速制御ＥＣＵ１４に対してギヤ段数指定指示を行うことができる。これにより、制動制御ＥＣＵ４は、変速制御ＥＣＵ１４に対し、前記段階的制動制御手段による段階的な制動制御に応じてギヤ段数を１段ずつ減じるように指示することができる。
【００５０】
すなわち、図８に示すように、先行車との車間距離および先行車の車速をミリ波レーダ１により測定して監視する。また、自車速を車速センサ１３により測定して監視する。さらに、軸重計９により積載貨物や乗客の重量を測定して監視する（Ｓ１５）。制動制御ＥＣＵ４の制動パターン選択部４０は、当該重量の測定結果に基づき制動パターン（図３〜図５）のいずれかを予め選択する。以下の説明は、図３の制動パターンが選択された例であるが、半積時（図４）または定積時（図５）においても図８のフローチャートの手順に準じる。
【００５１】
車間距離、自車速、先行車の車速によりＴＴＣを計算する（Ｓ１６）。計算方法は、前述したとおりである。
制動制御開始以前の自車速が６０ｋｍ／ｈ以上であり（Ｓ１７）、制動制御開始以前の操舵角が＋３０度以下であり−３０度以上であり（Ｓ１８）、ＴＴＣが図３（ａ）に示す（１）の領域にあれば（Ｓ１９）、「警報」制動制御を実行すると共にギヤ段数を１段減じる旨の指示を変速制御ＥＣＵ１４に対して送出する（Ｓ２２）。また、ＴＴＣが図３（ａ）に示す（２）の領域にあれば（Ｓ２０）、「拡大領域制動」制御を実行すると共にギヤ段数をさらに１段減じる旨の指示を変速制御ＥＣＵ１４に対して送出する（Ｓ２３）。また、ＴＴＣが図３（ａ）に示す（３）の領域にあれば（Ｓ２１）、「本格制動」制御を実行すると共にギヤ段数をさらに１段減じる旨の指示を引き続き変速制御ＥＣＵ１４に対して送出する（Ｓ２４）。
【００５２】
また、制動制御開始以前の自車速が６０ｋｍ／ｈ未満１５ｋｍ／ｈ以上であり（Ｓ１７、Ｓ２５）、ＴＴＣが図３（ｃ）に示す（４）の領域にあれば（Ｓ２６）、運転者に対して先行車との相対距離が近いことを報知する（Ｓ２７）。報知は、警報表示やブザー音により行う。さらに、ＴＴＣが図３（ｃ）に示す（５）の領域にあれば（Ｓ２８）、「本格制動」制御を実行すると共にギヤ段数を１速（ローギヤ）とする旨の指示を変速制御ＥＣＵ１４に対して送出する（Ｓ２９）。
【００５３】
なお、ステアリングセンサ２からの操舵角の代わりにヨーレイトセンサ３からのヨーレイトを利用することもできる。あるいは、操舵角とヨーレイトを併用してもよい。
【００５４】
図８に示す制御手順により図９に示すように、ステップＳ２２では、それまでの５速から４速にギヤ段数が減じられる。さらに、ステップＳ２３では、４速から３速にギヤ段数が減じられる。さらに、ステップＳ２４では、３速から２速にギヤ段数が減じられる。また、ステップＳ２９では、それまでの３速から１速にギヤ段数が減じられる。
【００５５】
これにより、制動制御ＥＣＵ４と変速制御ＥＣＵ１４とが連動し、段階的制動制御の進行に伴ってギヤ段数を減じることにより、エンジンブレーキの効きを良くすることで、自動制動制御を変速制御の側から援助することができる。
【００５６】
（第三実施例）
第三実施例を図１０および図１１を参照して説明する。図１０は第三実施例の制動制御ＥＣＵの制御手順を示すフローチャートである。図１１は第三実施例の制動制御と変速制御との関係を示すタイムチャートである。なお、制御系統構成図は、第二実施例（図７）と共通である。
【００５７】
第三実施例では、図７に示すように、制動制御ＥＣＵ４から変速制御ＥＣＵ１４に対してギヤ段数指定指示を行うことができる。これにより、制動制御ＥＣＵ４は、変速制御ＥＣＵ１４に対し、前記段階的制動制御手段による段階的な制動制御に応じて予め指定されたギヤ段数とするように指示することができる。
【００５８】
すなわち、図１０に示すように、先行車との車間距離および先行車の車速をミリ波レーダ１により測定して監視する。また、自車速を車速センサ１３により測定して監視する。さらに、軸重計９により積載貨物や乗客の重量を測定して監視する（Ｓ３１）。制動制御ＥＣＵ４の制動パターン選択部４０は、当該重量の測定結果に基づき制動パターン（図３〜図５）のいずれかを予め選択する。以下の説明は、図３の制動パターンが選択された例であるが、半積時（図４）または定積時（図５）においても図１０のフローチャートの手順に準じる。
【００５９】
車間距離、自車速、先行車の車速によりＴＴＣを計算する（Ｓ３２）。計算方法は、前述したとおりである。
制動制御開始以前の自車速が６０ｋｍ／ｈ以上であり（Ｓ３３）、制動制御開始以前の操舵角が＋３０度以下であり−３０度以上であり（Ｓ３４）、ＴＴＣが図３（ａ）に示す（１）の領域にあれば（Ｓ３５）、「警報」制動制御を実行する（Ｓ３８）。また、ＴＴＣが図３（ａ）に示す（２）の領域にあれば（Ｓ３６）、「拡大領域制動」制御を実行すると共にギヤ段数を１速（ローギヤ）にする旨の指示を変速制御ＥＣＵ１４に対して送出する（Ｓ３９）。また、ＴＴＣが図３（ａ）に示す（３）の領域にあれば（Ｓ３７）、「本格制動」制御を実行すると共に引き続きギヤ段数を１速にする旨の指示を変速制御ＥＣＵ１４に対して送出する（Ｓ４０）。
【００６０】
また、制動制御開始以前の自車速が６０ｋｍ／ｈ未満１５ｋｍ／ｈ以上であり（Ｓ３３、Ｓ４１）、ＴＴＣが図３（ｃ）に示す（４）の領域にあれば（Ｓ４２）、運転者に対して先行車との相対距離が近いことを報知する（Ｓ４３）。報知は、警報表示やブザー音により行う。さらに、ＴＴＣが図３（ｃ）に示す（５）の領域にあれば（Ｓ４４）、「本格制動」制御を実行すると共にギヤ段数を１速（ローギヤ）とする旨の指示を変速制御ＥＣＵ１４に対して送出する（Ｓ４０）。
【００６１】
なお、ステアリングセンサ２からの操舵角の代わりにヨーレイトセンサ３からのヨーレイトを利用することもできる。あるいは、操舵角とヨーレイトを併用してもよい。
【００６２】
図１０に示す制御手順により図１１に示すように、ステップＳ３９では、それまでの５速から１速にギヤ段数が減じられる。さらに、ステップＳ４０では、引き続き１速が維持される。
【００６３】
これにより、制動制御ＥＣＵ４と変速制御ＥＣＵ１４とが連動し、段階的制動制御の進行に伴ってギヤ段数を減じることにより、エンジンブレーキの効きを良くすることで、自動制動制御を変速制御の側から援助することができる。
【００６４】
第三実施例では、第二実施例と異なり、「拡大領域制動」においてギヤ段数を１速（ローギヤ）まで一気に減ずる。これにより、第一実施例と比較すると多少、急制動的な制御パターンとなるが、緊急停止のためには有用である。
【００６５】
（第四実施例）
第四実施例を図１２および図１３を参照して説明する。図１２は第四実施例の制動制御ＥＣＵの制御手順を示すフローチャートである。図１３は第四実施例の制動制御と変速制御との関係を示すタイムチャートである。
【００６６】
第四実施例は、第三実施例の変形であり、制動制御開始以前の自車速が６０ｋｍ／ｈ以上であり（Ｓ５３）、制動制御開始以前の操舵角が＋３０度以下であり−３０度以上であり（Ｓ５４）、ＴＴＣが図３（ａ）に示す（１）の領域にあれば（Ｓ５５）、「警報」制動制御を実行すると共にギヤ段数を２速（セコンドギヤ）にする旨の指示を変速制御ＥＣＵ１４に対して送出する（Ｓ５８）。また、ＴＴＣが図３（ａ）に示す（２）の領域にあれば（Ｓ５６）、「拡大領域制動」制御を実行すると共にギヤ段数を２速にする旨の指示またはギヤ段数変更禁止指示を変速制御ＥＣＵ１４に対して送出する（Ｓ５９）。また、ＴＴＣが図３（ａ）に示す（３）の領域にあれば（Ｓ５７）、「本格制動」制御を実行すると共にギヤ段数を１速（ローギヤ）にする旨の指示を変速制御ＥＣＵ１４に対して送出する（Ｓ６０）。
【００６７】
また、制動制御開始以前の自車速が６０ｋｍ／ｈ未満１５ｋｍ／ｈ以上であり（Ｓ５３、Ｓ６１）、ＴＴＣが図３（ｃ）に示す（４）の領域にあれば（Ｓ６２）、運転者に対して先行車との相対距離が近いことを報知する（Ｓ６３）。報知は、警報表示やブザー音により行う。さらに、ＴＴＣが図３（ｃ）に示す（５）の領域にあれば（Ｓ６４）、「本格制動」制御を実行すると共にギヤ段数を１速（ローギヤ）とする旨の指示を変速制御ＥＣＵ１４に対して送出する（Ｓ６０）。
【００６８】
第四実施例では、第三実施例と異なり、「警報」の段階において、ギヤ段数を２速（セコンドギヤ）に減じ、「拡大領域制動」の段階では、引き続き、２速を維持し、「本格制動」の段階において、ギヤ段数を１速（ローギヤ）に減ずる。これにより、第三実施例と比較すると、急制動傾向を緩和することができる。
【産業上の利用可能性】
【００６９】
本発明によれば、トラックやバスにおける自動制動制御を実現することができ、交通安全に寄与することができる。
【図面の簡単な説明】
【００７０】
【図１】第一実施例の制御系統構成図。
【図２】第一実施例の制動制御ＥＣＵの制御手順を示すフローチャート。
【図３】制動制御ＥＣＵが有する空積時の制動パターンを示す図。
【図４】制動制御ＥＣＵが有する半積時の制動パターンを示す図。
【図５】制動制御ＥＣＵが有する定積時の制動パターンを示す図。
【図６】制動制御ＥＣＵが有する本格制動パターンを示す図。
【図７】第二実施例の制御系統構成図。
【図８】第二実施例の制動制御ＥＣＵの制御手順を示すフローチャート。
【図９】第二実施例の制動制御と変速制御との関係を示すタイムチャート。
【図１０】第三実施例の制動制御ＥＣＵの制御手順を示すフローチャート。
【図１１】第三実施例の制動制御と変速制御との関係を示すタイムチャート。
【図１２】第四実施例の制動制御ＥＣＵの制御手順を示すフローチャート。
【図１３】第四実施例の制動制御と変速制御との関係を示すタイムチャート。
【符号の説明】
【００７１】
１  ミリ波レーダ
２  ステアリングセンサ
３  ヨーレイトセンサ
４  制動制御ＥＣＵ
５  ゲートウェイＥＣＵ
６  メータＥＣＵ
７  ＶｅｈｉｃｌｅＣＡＮ（Ｊ１９３９）
８  エンジンＥＣＵ
９  軸重計
１０  ＥＢＳ＿ＥＣＵ
１１  ブレーキアクチュエータ
１２  エンジン
１３  車速センサ
１４  変速制御ＥＣＵ
１５  変速機
４０  制動パターン選択部
４１  制動パターン記憶部
【図１】
0005122097.tif 000002
【図２】
0005122097.tif 000003
【図３】
0005122097.tif 000004
【図４】
0005122097.tif 000005
【図５】
0005122097.tif 000006
【図６】
0005122097.tif 000007
【図７】
0005122097.tif 000008
【図８】
0005122097.tif 000009
【図９】
0005122097.tif 000010
【図１０】
0005122097.tif 000011
【図１１】
0005122097.tif 000012
【図１２】
0005122097.tif 000013
【図１３】
0005122097.tif 000014